(57)【要約】【課題】眼鏡フレームがずれ落ちる虞を少なくすることができるテンプル及び眼鏡フレームを提供する。【解決手段】テンプル１は、前端部側が眼鏡フレーム２の前枠３に取り付け可能に構成されるテンプル本体４と、テンプル本体４の下方に設けられテンプル本体４に着脱自在に取り付けられる取付具５とを備えている。取付具５は、湾曲部材５１と、耳の裏側に当接可能な耳当接部５２ａを有する耳当て部材５２と、湾曲部材５１の所定部５２ｂと耳当接部５２ａの前端部５２ｃとを連結する可撓性の絡み防止部材５３と、テンプル本体４を狭持する狭持部６とを備えている。テンプル本体４は、狭持部６の前方及び後方に、狭持部６がテンプル本体４に対して前方及び後方に移動するのを阻止する阻止部４１を具備している。【選択図】図１
2012155051.tif 000002
【特許請求の範囲】
【請求項１】
前端部側が眼鏡フレームの前枠に取り付け可能に構成されるテンプル本体と、
耳の裏側に沿うように湾曲する湾曲部材と、軸部材を介して前記湾曲部材と揺動可能に取り付けられ耳の裏側に当接可能な耳当接部を有する耳当て部材と、該湾曲部材の該耳当て部材が取り付けられる部位より前方にある所定部と該耳当接部の前端部とを連結する可撓性の絡み防止部材とを具備し前記テンプル本体に着脱自在に取り付けられる取付具とを備え、
前記取付具及びテンプル本体のうちいずれか一方は、該取付具及びテンプル本体のうちいずれか他方の向きに開口し当該他方を挟持する凹溝形状を有した挟持部を具備し、
前記取付具及びテンプル本体のうちいずれか他方は、前記挟持部の前方及び後方に設けられ該挟持部の前方及び後方への移動を阻止する阻止部を具備することを特徴とするテンプル。
【請求項２】
前記狭持部の挟持面と、前記取付具及びテンプル本体のうちいずれか他方において該狭持部に挟持される被狭持面とのそれぞれは、互いに嵌合する凸部又は凹部を有することを特徴とする請求項１に記載のテンプル。
【請求項３】
請求項１又は請求項２に記載のテンプルを備えることを特徴とする眼鏡フレーム。
【発明の詳細な説明】
【技術分野】
【０００１】
本発明は、テンプル及び眼鏡フレームに関する。特に、眼鏡フレームがずれ落ちる虞を少なくすることができるテンプル及び眼鏡フレームに関する。
【背景技術】
【０００２】
本発明者は、以前、眼鏡フレームに取り付け、眼鏡フレームの装着時に耳の裏側に当接する耳当接部によって眼鏡フレームのずれ落ちを防止する機能を有した取付具の発明を行っている（特許文献１）。この取付具によって、眼鏡フレームがずれ落ちる虞を少なくすることができる。
【０００３】
しかしながら、特許文献１に記載の発明おいては、眼鏡フレームがずれ落ちる虞が充分に少なくならなかった。
【先行技術文献】
【特許文献】
【０００４】
【特許文献１】特開２０１０−７２５１１号公報
【発明の概要】
【発明が解決しようとする課題】
【０００５】
本発明は、斯かる従来技術の問題を解決するためになされたものであり、眼鏡フレームがずれ落ちる虞を少なくすることができるテンプル及び眼鏡フレームを提供することを課題とする。
【課題を解決するための手段】
【０００６】
前記課題を本発明者が検討したところ、次の知見を得た。特許文献１に記載の発明においては、取付具がテンプル本体の側面を狭持するだけなので、取付具が、取り付けられたテンプル本体の位置から前方又は後方に移動する虞があった。取付具が前方に移動すると耳当接部が耳の裏側に強く当たって眼鏡フレームの装着者に不快感を与え、また、取付具が後方に移動すると耳当接部の耳の裏側への当接が充分に行われずに眼鏡フレームがずれ落ちる虞があった。
【０００７】
本発明は、上記の本発明者の知見に基づき完成されたものである。すなわち、前記課題を解決するため、本発明は、前端部側が眼鏡フレームの前枠に取り付け可能に構成されるテンプル本体と、耳の裏側に沿うように湾曲する湾曲部材と、軸部材を介して前記湾曲部材と揺動可能に取り付けられ耳の裏側に当接可能な耳当接部を有する耳当て部材と、該湾曲部材の該耳当て部材が取り付けられる部位より前方にある所定部と該耳当接部の前端部とを連結する可撓性の絡み防止部材とを具備し前記テンプル本体に着脱自在に取り付けられる取付具とを備え、前記取付具及びテンプル本体のうちいずれか一方は、該取付具及びテンプル本体のうちいずれか他方の向きに開口し当該他方を挟持する凹溝形状を有した挟持部を具備し、前記取付具及びテンプル本体のうちいずれか他方は、前記挟持部の前方及び後方に設けられ該挟持部の前方及び後方への移動を阻止する阻止部を具備することを特徴とするテンプルを提供する。
【０００８】
本発明によれば、取付具及びテンプル本体のうちいずれか一方に具備された挟持部が前方及び後方へ移動することが取付具及びテンプル本体のうちいずれか他方に具備された阻止部によって阻止され、取付具が、取り付けられたテンプル本体の位置から前方又は後方に移動することが阻止されるので、眼鏡フレームの装着者に不快感を与えずに、眼鏡フレームがずれ落ちる虞を少なくすることができる。
尚、本明細書において、眼鏡フレームを装着した装着者の頭部の水平断面の中心を基準として前頭部が有る方向を前方とし、後頭部が有る方向を後方としており、「前端部」とは、装着された眼鏡フレームにおいて、眼鏡フレームを構成する各部材における前方の端部をいい、「後端部」とは、眼鏡フレームを構成する各部材における後方の端部をいう。
また、本明細書における左方、右方は、眼鏡フレームを装着した装着者の左方、右方を意味する。
【０００９】
好ましくは、前記狭持部の挟持面と、前記取付具及びテンプル本体のうちいずれか他方において該狭持部に挟持される被狭持面とのそれぞれは、互いに嵌合する凸部又は凹部を有することが望ましい。
【００１０】
斯かる好ましいテンプルによれば、取付具とテンプル本体とが、凸部と凹部とによって嵌合されるので、取付具がテンプル本体から外れ難くなる。従って、眼鏡フレームの装着時に、取付具が外れて眼鏡フレームがずれ落ちる虞が少なくなる。
【００１１】
また、前記課題を解決するため、本発明は、上述したいずれかのテンプルを備えることを特徴とする眼鏡フレームを提供する。
【００１２】
上述したいずれかのテンプルを備えるので、眼鏡フレームがずれ落ちる虞が少なくなる。
【発明の効果】
【００１３】
本発明によれば、取付具が、取り付けられたテンプル本体の位置から前方又は後方に移動することが阻止されるので、眼鏡フレームの装着者に不快感を与えずに、眼鏡フレームがずれ落ちる虞を少なくすることができる。
【図面の簡単な説明】
【００１４】
【図１】図１は第１の実施形態に係るテンプルを備えた眼鏡フレームの構成を示す図であり、図１（ａ）は、眼鏡フレームの側面図であり、図１（ｂ）は、取付具をテンプル本体から取り外したときの眼鏡フレームの側面図であり、図１（ｃ）は、図１（ａ）のＡ−Ａ断面図であり、図１（ｄ）は、図１（ｂ）のＢ−Ｂ断面図であり、図１（ｅ）は、同Ｂ−Ｂ断面において、取付具をテンプル本体から取り外すときの断面図である。
【図２】図２は耳当接部の２つの姿勢を示す眼鏡フレームの側面図であり、図２（ａ）は、耳当接部の前端部が湾曲部材側に押し付けられた姿勢での側面図であり、図２（ｂ）は、耳当接部の前端部が湾曲部材から離間した姿勢での側面図である。
【図３】図３は、第２の実施形態に係るテンプルにおける狭持部付近のテンプル本体及び取付具の構成を示す図であり、図３（ａ）は、同テンプルにおける狭持部付近のテンプル本体及び取付具の部分側面図であり、図３（ｂ）は、図３（ａ）におけるＣ−Ｃ断面図であり、図３（ｃ）は、同Ｃ−Ｃ断面において取付具をテンプル本体から取り外すときの断面図である。
【図４】図４は、第２の実施形態に係るテンプルの他の例における狭持部付近のテンプル本体及び取付具の構成を示す図であり、図４（ａ）は、狭持部付近のテンプル本体及び取付具の部分側面図であり、図４（ｂ）は、図４（ａ）におけるＣ−Ｃ断面図である。
【発明を実施するための形態】
【００１５】
（第１の実施形態）
本発明の第１の実施形態に係るテンプルについて添付図面を適宜参照しつつ説明する。
図１は本実施形態に係るテンプルを備えた眼鏡フレームの構成を示す図であり、図１（ａ）は、眼鏡フレームの側面図であり、図１（ｂ）は、取付具をテンプル本体から取り外したときの眼鏡フレームの側面図であり、図１（ｃ）は、図１（ａ）のＡ−Ａ断面図であり、図１（ｄ）は、図１（ｂ）のＢ−Ｂ断面図であり、図１（ｅ）は、同Ｂ−Ｂ断面において取付具をテンプル本体から取り外すときの断面図である。
テンプル１は、前端部側が眼鏡フレーム２の前枠３に取り付け可能に構成されるテンプル本体４と、テンプル本体４の下方に設けられテンプル本体４に着脱自在に取り付けられる取付具５とを備えている。
取付具５は、眼鏡フレーム２のテンプル本体４に取り付け可能に構成される湾曲部材５１と、湾曲部材５１の後端部に揺動自在に、且つ着脱自在に取り付けられ耳の裏側に当接可能な耳当接部５２aを有する耳当て部材５２と、耳当て部材５２が取り付けられた湾曲部材５１の部位より前方にある所定部５２ｂと耳当接部５２aの前端部５２ｃとを連結する可撓性の絡み防止部材５３と、テンプル本体４を狭持する狭持部６とを備えている。
湾曲部材５１の後端部は、図１（ｃ）に示すように断面形状が下方に向けて凹形状になっており、凹形状の両側面を軸部材５４が架け渡している。
【００１６】
耳当て部材５２は、耳当接部５２ａの湾曲部分の略中間に、湾曲部材５１の後端部に配せられた軸部材５４に貫通される貫通穴を有した揺動部５２ｄを具備している。揺動部５２ｄの貫通穴が軸部材５４に貫通されていることにより、耳当て部材５２は軸部材５４を中心として揺動することができる。
尚、耳当て部材５２が湾曲部材５１の後端部に取り付けられる構造は、上述した構造に限られず、耳当て部材５２が湾曲部材５１の後端部に揺動自在に取り付けられるならどのような構造でもよい。例えば、耳当て部材５２が軸部材を具備し、湾曲部材５１の後部が軸部材に貫通される貫通穴を具備してもよい。
【００１７】
絡み防止部材５３と耳当て部材５２とは一体成型されている。絡み防止部材５３の前端部は、所定部５２ｂに、ねじ５５によって固定されている。絡み防止部材５３の所定部５２ｂへの固定は、接着等の他の方法によってもよい。絡み防止部材５３は弾性部材であり、例えば、エラストマ（天然ゴム、合成ゴム等の弾性を有する高分子物質）や形状記憶合金等で形成された板ばね等、種々の弾性部材が採用可能である。本実施形態では、耳当て部材５２と絡み防止部材５３とは、同一の素材であって一体成型されているが、耳当て部材５と絡み防止部材５３とは別々の素材、又は同一の素材であって、接着やねじ等によって接合されていてもよい。
【００１８】
狭持部６は、図１（ｄ）に示すように、テンプル本体４の向きに開口し、前後方向に延びた凹溝形状によってテンプル本体４を狭持する。凹溝形状の対向する内側の２つの狭持面６１、６１がテンプル本体４を狭持する。このように、狭持部６は、テンプル本体４を前後方向に垂直な方向から狭持する。狭持部６は弾性を有しており、例えば可撓性樹脂より成っている。また、テンプル本体４は、例えば可撓性樹脂や金属から成っている。取付具５がテンプル本体４から取り外されているときの狭持面６１、６１間の距離ｔ１は、被狭持面４２におけるテンプル本体４の厚みｔ２よりも短くなっている。
【００１９】
取付具５をテンプル本体４に取り付けるときには、テンプル本体４の下端部４３を狭持部６の側面部６３の上端に押し当てて開口部６２を開き、取付具５をテンプル本体４の向きに押し込む。狭持部６の側面部６３が弾性によって外側に開き、テンプル本体４の下端部４３が凹溝形状の中に入り、取付具５がテンプル本体４に取り付けられる。取付具５がテンプル本体４に取り付けられた後は、テンプル本体４は挟持部６の弾性によって狭持される。
取付具５をテンプル本体４から取り外すときには、取付具５をテンプル本体４から離れる向きに引っ張ればよい。引っ張る力が狭持部６の狭持力を上回ると取付具５を取り外すことができる。
又は、図１（ｅ）に示すようにテンプル本体４の下端部４３が狭持面６１に接触している箇所付近を前後方向に通る直線を軸として取付具５を回動させる（矢印Ｄの向き）。すると、挟持部６の弾性によって側面部６３が曲がり、開口部６２が開くので、取付具５をテンプル本体４から容易に取り外すことができる。このようにして取付具５を回動させると取付具５を容易に取り外すことができるが、眼鏡フレーム２の装着時に、取付具５を上記のように回動させる力が加わることは少ないので、眼鏡フレーム２の装着時に取付具５が自然に外れる虞は少ない。
本実施形態では、狭持部６がテンプル本体４を左右方向から狭持する構成を示したが、狭持部６はテンプル本体４をいずれの方向から狭持するようにしてもよい。しかしながら、眼鏡フレーム２の装着時に、狭持部６に前後方向に力が加わる虞があるので、狭持部６がテンプル本体４を前後方向から狭持する構成であると、取付具５が自然に外れる虞がある。
眼鏡フレーム２の装着時に、狭持部６に左右方向に力が加わる虞が少ないので、本実施形態のように狭持部６がテンプル本体４を左右方向から狭持する構成にすると、取付具５が自然に外れる虞が少なくなる。従って、狭持部６がテンプル本体４を左右方向から狭持する構成が好ましい。
【００２０】
テンプル本体４は、図１（ａ）に示すように、狭持部６の前方及び後方に、狭持部６がテンプル本体４に対して前方及び後方に移動するのを阻止する阻止部４１を具備している。阻止部４１は、狭持部６の前面及び後面に接するように設けられている。
【００２１】
このように、取付具５に具備された狭持部６が前方及び後方へ移動することがテンプル本体４に具備された阻止部４１によって阻止され、取付具５が、取り付けられたテンプル本体４の位置から前方又は後方に移動することが阻止されるので、眼鏡フレーム２の装着者に不快感を与えずに、眼鏡フレーム２がずれ落ちる虞を少なくすることができる。
尚、本実施形態では、狭持部を取付具５に設け、阻止部をテンプル本体４に設けたが、狭持部をテンプル本体４に設け、阻止部を取付具５に設けてもよい。
【００２２】
次に、絡み防止部材５３によって切り替えられる耳当接部５２ａの２つの姿勢について、図２を参照して説明する。図２は耳当接部５２ａの２つの姿勢を示す眼鏡フレーム２の側面図であり、図２（ａ）は、耳当接部５２ａの前端部５２ｃが湾曲部材５１側に押し付けられた姿勢での側面図であり、図２（ｂ）は、耳当接部５２ａの前端部５２ｃが湾曲部材５１から離間した姿勢での側面図である。
絡み防止部材５３が可撓性を有する弾性部材で形成されているので、所定位置を切り替え点として当該切り替え点より耳当接部５２ａの前端部５２ｃが湾曲部材５１に近い側では、弾性力Ｆａが作用し、図２（ａ）のように耳当接部５２ａの前端部５２ｃが湾曲部材５１側に押し付けられた位置で保持される。一方、耳当接部５２ａの前端部５２ｃが、前記切り替え点より湾曲部材５１から離間した位置にあると、絡み防止部材５３が撓むことによって、弾性力の作用する方向が反転し、弾性力Ｆｂが作用して、図２（ｂ）のように耳当接部５２ａの前端部５２ｃが湾曲部材５１から離間した位置で保持される。
【００２３】
したがって、使用者が眼鏡フレーム２を装着するときには、耳当接部５２ａの前端部５２ｃが湾曲部材５１から離間した位置で保持された姿勢（図２（ｂ））にすることにより、前枠３と耳当て部材５２の後端部との距離Ｌ２が図２（ａ）における距離Ｌ１と比べて広げられた状態となるため、耳当て部材５２が邪魔になることなく（耳当て部材５２を手で押さえておくことなく）容易に装着することができる。そして、耳に当接することによって、絡み防止部材５３の姿勢が、耳当接部５２ａの前端部５２ｃを湾曲部材５１側へ押し付ける弾性力Ｆａを作用させる姿勢（図２（ａ））へと切り替わり、耳当接部５２ａの後端部がしっかりと耳の裏側に当接可能となり、眼鏡フレーム２がずれ落ち難くなる。
【００２４】
また、眼鏡フレーム２を取り外すときには、耳当接部５２ａの後端部を指で後側に押圧することによって、絡み防止部材５３の姿勢が、耳当接部５２ａの前端部５２ｃを湾曲部材５１側から離間した位置へ押し付ける弾性力Ｆｂを作用させる姿勢（図２（ｂ））へと切り替わり、眼鏡フレーム２を容易に取り外すことができる。このとき、湾曲部材５１と耳当接部５２ａの前端部５２ｃとの間が絡み防止部材５３で塞がれているため、髪の毛が湾曲部材５１と耳当接部５２ａとの取り付け部分に入り込み難くなり、その部分に絡まることが抑制される。
【００２５】
このように、絡み防止部材５３がその弾性力によって耳当接部５２ａの姿勢を切り替えることができるため、眼鏡フレーム２をより容易に装着することができ、かつ、眼鏡フレームのずれ落ちをより効果的に抑制することができる。
【００２６】
尚、本実施形態では、テンプル本体４の下方から取付具５が取り付けられる例を示したが、例えばテンプル本体４の左方からや右方からのようにテンプル本体４の側面のいずれの方向から取付具５が取り付けられるようにしてもよい。
【００２７】
（第２の実施形態）
本発明の第２の実施形態に係るテンプルについて添付図面を適宜参照しつつ説明する。本実施形態に係るテンプルでは、第１の実施形態における狭持部６の狭持面６１と、狭持部６に狭持されるテンプル本体４の被狭持面４２とのそれぞれが、互いに嵌合する凸部又は凹部を有している。図３は、第２の実施形態に係るテンプルにおける狭持部付近のテンプル本体及び取付具の構成を示す図であり、図３（ａ）は、同テンプルにおける狭持部付近のテンプル本体及び取付具の部分側面図であり、図３（ｂ）は、図３（ａ）におけるＣ−Ｃ断面図であり、図３（ｃ）は、同Ｃ−Ｃ断面において取付具をテンプル本体から取り外すときの断面図である。
テンプル本体４の被狭持面４２は、凸部７１を有している。凸部７１は、図３（ｂ）に示すように前後方向に垂直な断面形状（以下、横断面形状という）が略半円形の山形であり、且つ、図３（ａ）に示すように前後方向に延びて設けられている。
狭持部６の狭持面６１は、凹部７２を有している。凹部７２は図３（ｂ）に示すように横断面形状が凸部７１と嵌合する形状であり、且つ、図３（ａ）に示すように前後方向に延びて設けられており、凸部７１と嵌合する。
【００２８】
取付具５をテンプル本体４に取り付けるときには、テンプル本体４の下端部４３を狭持部６の側面部６３の上端に押し当てて開口部６２を開き、取付具５をテンプル本体４の向きに押し込む。テンプル本体４の下端部４３及び凸部７１に押圧されて狭持部６の側面部６３が弾性によって外側に開き、テンプル本体４の下端部４３が凹溝形状の中に入り、凸部７１が凹部７２に嵌合し、取付具５がテンプル本体４に取り付けられる。取付具５がテンプル本体４に取り付けられた後は、テンプル本体４は挟持部６の弾性によって狭持され、更に凸部７１と凹部７２とが嵌合するので、取付具５がテンプル本体４から外れ難くなる。
取付具５をテンプル本体４から取り外すときには、図３（ｃ）に示すようにテンプル本体４の下端部４３が狭持面６１に接触している箇所付近を前後方向に通る直線を軸として取付具５を回動させる（矢印Ｄの向き）。すると、挟持部６の弾性によって側面部６３が曲がり、開口部６２が開くので、凸部７１と凹部７２との嵌合が外れ易くなり、取付具５をテンプル本体４から容易に取り外すことができる。このようにして取付具５を回動させると取付具５を容易に取り外すことができるが、眼鏡フレーム２の装着時に、取付具５を上記のように回動させる力が加わることは少ないので、眼鏡フレーム２の装着時に取付具５が自然に外れる虞は少ない。
このように、眼鏡フレーム２の装着時は凸部７１と凹部７２とが嵌合するので、取付具５がテンプル本体４から外れ難くなる。従って、眼鏡フレーム２の装着時に、取付具５が外れて眼鏡フレーム２がずれ落ちる虞が少なくなる。
【００２９】
凸部７１の横断面形状は、略半円形の山形に限らず、取付具５がテンプル本体４と着脱自在に嵌合するならどのような形状でもよく、例えば、略三角形の山形や略台形の山形でもよい。一方、それぞれの凸部７１に対面する凹部７２の横断面形状は、それぞれの凸部７１の横断面形状と嵌合する形状とすればよい。
【００３０】
また、凸部７１及び凹部７２は、上述したように、前後方向に延ばして設けなくてもよい。図４は、第２の実施形態に係るテンプルの他の例における狭持部付近のテンプル本体及び取付具の構成を示す図であり、図４（ａ）は、狭持部付近のテンプル本体及び取付具の部分側面図であり、図４（ｂ）は、図４（ａ）におけるＣ−Ｃ断面図である。凸部７１は略半球形状であり、凹部７２は略半球形状に窪んだ形状である。凸部７１及び凹部７２を前後方向に延ばして設けなくても、狭持部６の狭持力を凸部７１及び凹部７２の形状や大きさで調整すればよい。
【００３１】
尚、本実施形態の例では、被狭持面４２に凸部７１を設け、狭持面６１に凹部７２を設けたが、被狭持面４２に凹部７２を設け、狭持面６１に凸部７１を設けててもよい。また、２つの被狭持面４２の内の１面に凸部７１を設けて他の１面に凹部７２を設け、それぞれの被狭持面４２の凸部７１及び凹部７２に嵌合するように、狭持面６１に凸部７１及び凹部７２を設けてもよい。
【００３２】
なお、本発明は、上記実施形態の構成に限られず、発明の趣旨を変更しない範囲で種々の変形が可能である。
【符号の説明】
【００３３】
１・・・テンプル
２・・・眼鏡フレーム
４・・・テンプル本体
４１・・・阻止部
４２・・・被狭持面
５・・・取付具
５１・・・湾曲部材
５２・・・耳当て部材
５２ａ・・・耳当接部
５２ｂ・・・所定部
５２ｃ・・・耳当接部の前端部
５４・・・軸部材
６・・・狭持部
６１・・・狭持面
７１・・・凸部
７２・・・凹部
【図１】
2012155051.tif 000003
【図２】
2012155051.tif 000004
【図３】
2012155051.tif 000005
【図４】
2012155051.tif 000006